【事件の表示】
　特願２００２−５４６５９４「液体分散ポリマー組成物、それらの調製およびそれらの使用」拒絶査定不服審判事件〔平成１４年　６月　６日国際公開、ＷＯ０２／４４２２８、平成１６年　８月１２日国内公表、特表２００４−５２４３８４〕について、次のとおり審決する。
【結　論】
　本件審判の請求は、成り立たない。
【理　由】
第１　手続の経緯
　本願は、平成１３年１１月１９日（優先権主張　２０００年１１月３０日　英国（GB)）を国際出願日とする出願であって、平成１６年１１月１８日に手続補正書が提出され、平成１９年８月１７日付けで拒絶理由が通知され、平成２０年１月１６日に意見書及び手続補正書が提出され、平成２０年３月３１日付けで最後の拒絶理由が通知され、平成２０年７月８日に意見書が提出されたが、平成２１年５月２９日付けで拒絶査定がなされた。これに対し、平成２１年１０月２日に拒絶査定に対する審判が請求されると同時に手続補正書が提出され、同年１１月１９日に審判請求書の手続補正書（方式補正）が提出され、平成２２年５月１７日付けで前置報告がなされ、平成２３年１１月１４日付けで、当審から審尋がなされ、平成２４年５月１４日に回答書が提出されたものである。
　
　
第２　平成２１年１０月２日付けの手続補正についての補正の却下の決定
［結論］
　平成２１年１０月２日付けの手続補正を却下する。
　
［理由］
　１．手続補正の内容
　平成２１年１０月２日付け手続補正（以下、「本件手続補正」という。）の内容は明細書の特許請求の範囲の記載を補正するものであり、平成２０年１月１６日付けの手続補正書により補正された明細書の特許請求の範囲の請求項の記載について、
　
「【請求項１】
　シリコーンポリマー液および水中油滴型界面活性剤に分散された、水溶性のアニオン性モノマーまたは水溶性のカチオン性モノマーからか、水溶性のアニオン性モノマーと水溶性のカチオン性モノマーとのブレンドからか、あるいは水溶性のアニオン性モノマーまたは水溶性のカチオン性モノマーと非イオン性モノマーとのブレンドから形成される親水性、水溶性または膨潤性ホモポリマーまたはコポリマーを含む液体分散ポリマー組成物であり、
　ここで、前記水溶性のアニオン性モノマーはアクリル酸、メタクリル酸およびそれらのアルカリ金属塩およびアンモニウム塩、２−アクリルアミド−２−メチル−プロパンスルホン酸およびその塩、スチレンスルホン酸ナトリウムから選択され、前記水溶性のカチオン性モノマーは、ジアリルジアルキルモノマー、ジアルキルアミノアルキル（メタ）アクリレートまたはジアルキルアミノアルキル（メタ）アクリルアミドから選択され、前記非イオン性モノマーは、アクリルアミド、メタクリルアミド、Ｎ，−ジアルキルアクリルアミド、Ｎ，Ｎ−ジアルキルアクリルアミド、Ｎ−ビニルピロリドンおよび水溶性ヒドロキシ置換アクリル酸またはメタクリル酸エステルから選択され、そして
　ここで、前記ホモポリマーまたはコポリマーがシリコーンポリマー液および水中油滴型界面活性剤中に分散され、前記ホモポリマーまたはコポリマーが０．１〜２ミクロンの範囲の平均粒子サイズを有する微粒子の形態である、液体分散ポリマー組成物。
　　【請求項２】
　各々組成物の全重量に基づいて、
（ａ）３５重量％〜６５重量％のポリマー、
（ｂ）２０重量％〜５０重量％のシリコーンポリマー液、および
（ｃ）５重量％〜２５重量％の界面活性剤または界面活性剤混合物、
を含む、請求項１に記載の液体分散ポリマー組成物。
　　【請求項３】
　親水性ポリマーが、少なくとも１種のシリコーンポリマー液を含む疎水性液相における、１種以上のアクリレートおよび／またはメタクリレートモノマーの逆相エマルジョン重合により調製される、請求項１または２に記載の液体分散ポリマー組成物。
　　【請求項４】
　シリコーンポリマー液が、化粧用および／または医薬的に許容されうるものである、請求項１〜３のいずれか１項に記載の液体分散ポリマー組成物。
　　【請求項５】
　（ａ）０．１重量％〜８重量％の請求項１〜４のいずれか１項に記載の液体分散ポリマー組成物、
（ｂ）０．１重量％〜７０重量％の追加の成分であり、前記追加成分は、抗微生物剤；皮膚コンディショニング剤および皮膚柔軟剤；エステル；脂肪族アルコール；シリコーン、；アセトアミドモノエタノールアミン；ジメチルポリシロキサン；保湿剤、バリヤークリーム、皮膚軟化剤、αおよびβヒドロキシ酸；抗炎症剤；ＵＶ日焼け止め剤、「サンレス」タンニング剤、ホワイトニング剤、昆虫忌避剤、精油、ビタミン、着色料および色素；ヘアコンディショナー；香水成分；毛髪染剤および漂白剤、並びに保存剤からなる群より選択される追加成分、および
（ｃ）４５％〜９９％の水または水と水混和性有機溶媒の混合物、
を含む、増粘された水性または含水の組成物。
　　【請求項６】
　０．１重量％〜８重量％の請求項１〜４のいずれか１項に記載の液体分散ポリマー組成物を、０．１重量％〜７０重量％の少なくとも１種の治療剤および／または賦形剤を含む水性または水性／有機組成物に配合することを含む、治療用ローション、クリーム、膏薬、ジェル、軟膏、乳剤、スプレー、またはフォームの調製方法。
　　【請求項７】
　少なくとも１種のシリコーンポリマー液を含む疎水性液相において親水性モノマーの逆相エマルジョン重合を行うことを含む、請求項１〜４のいずれか１項に記載の液体分散ポリマー組成物の調製方法。
　　【請求項８】
　（ａ）場合により金属イオン封鎖剤および架橋性エチレン性不飽和モノマーを含む、１重量（乾燥重量）部の親水性エチレン性不飽和モノマーを、液体疎水性シリコーンおよび場合により揮発性不活性疎水性溶媒を含みかつ９．０未満のＨＬＢ値を有する少なくとも１種の油中水滴型乳化剤および場合によりポリマー型安定化界面活性剤を含む、約１〜３重量部の疎水性液体に、強力に撹拌しながら添加して、実質的に安定な微細な粒子サイズのエマルジョンを形成し、
（ｂ）不活性雰囲気を用意し、
（ｃ）フリーラジカル開始剤を添加し、
（ｄ）適切な温度および撹拌条件を、モノマーからポリマーへの変換が実質的に完了するまで維持し、
（ｅ）減圧下で逆相エマルジョンから水および任意成分の揮発性溶媒を除去し、シリコーンに分散した２ミクロン未満のサイズのポリマー粒子の実質的に無水で安定な分散液を製造し、そして
（ｆ）組成物の重量に基づいて０．５重量％〜８重量％の、７を越えるＨＬＢを有する非イオン性水中油滴型乳化剤を、シリコーン中のポリマー粒子の分散液に加えること、
を含む、請求項７に記載の方法。」
を
「【請求項１】
　水溶性のアニオン性モノマーからか、水溶性のアニオン性モノマーと水溶性の非イオン性モノマーとのブレンドから形成される親水性、水溶性または膨潤性ホモポリマーまたはコポリマーを含む液体分散ポリマー組成物であり、
　ここで、前記水溶性のアニオン性モノマーはアクリル酸、メタクリル酸およびそれらのアルカリ金属塩およびアンモニウム塩からなる群より選択され、前記非イオン性モノマーは、アクリルアミド、メタクリルアミド、Ｎ−アルキルアクリルアミドおよびＮ，Ｎ−ジアルキルアクリルアミドからなる群より選択され、そして
　ここで、前記ホモポリマーまたはコポリマーがシリコーンポリマー液および水中油滴型界面活性剤中に分散され、前記ホモポリマーまたはコポリマーが０．１〜２ミクロンの範囲の平均粒子サイズを有する微粒子の形態である、液体分散ポリマー組成物。
　　【請求項２】
　各々組成物の全重量に基づいて、
（ａ）３５重量％〜６５重量％のポリマー、
（ｂ）２０重量％〜５０重量％のシリコーンポリマー液、および
（ｃ）５重量％〜２５重量％の界面活性剤または界面活性剤混合物、
を含む、請求項１に記載の液体分散ポリマー組成物。
　　【請求項３】
　親水性ポリマーが、少なくとも１種のシリコーンポリマー液を含む疎水性液相における、１種以上のアクリレートおよび／またはメタクリレートモノマーの逆相エマルジョン重合により調製される、請求項１または２に記載の液体分散ポリマー組成物。
　　【請求項４】
　シリコーンポリマー液が、化粧用および／または医薬的に許容されうるものである、請求項１〜３のいずれか１項に記載の液体分散ポリマー組成物。
　　【請求項５】
　少なくとも１種のシリコーンポリマー液を含む疎水性液相において親水性モノマーの逆相エマルジョン重合を行うことを含む、請求項１〜４のいずれか１項に記載の液体分散ポリマー組成物の調製方法。
　　【請求項６】
　（ａ）場合により金属イオン封鎖剤および架橋性エチレン性不飽和モノマーを含む、１重量（乾燥重量）部の親水性エチレン性不飽和モノマーを、液体疎水性シリコーンおよび場合により揮発性不活性疎水性溶媒を含みかつ９．０未満のＨＬＢ値を有する少なくとも１種の油中水滴型乳化剤および場合によりポリマー型安定化界面活性剤を含む、約１〜３重量部の疎水性液体に、強力に撹拌しながら添加して、実質的に安定な微細な粒子サイズのエマルジョンを形成し、
（ｂ）不活性雰囲気を用意し、
（ｃ）フリーラジカル開始剤を添加し、
（ｄ）適切な温度および撹拌条件を、モノマーからポリマーへの変換が実質的に完了するまで維持し、
（ｅ）減圧下で逆相エマルジョンから水および任意成分の揮発性溶媒を除去し、シリコーンに分散した２ミクロン未満のサイズのポリマー粒子の実質的に無水で安定な分散液を製造し、そして
（ｆ）組成物の重量に基づいて０．５重量％〜８重量％の、７を越えるＨＬＢを有する非イオン性水中油滴型乳化剤を、シリコーン中のポリマー粒子の分散液に加えること、
を含む、請求項５に記載の方法。」
とするものである。
　
　２．本件手続補正の適否
（１）補正の目的
　本件手続補正は、補正前の請求項１の親水性、水溶性または膨潤性ホモポリマーまたはコポリマーを形成するモノマーの選択肢を限定すると共に、補正前の請求項５および６を削除するものである。
　したがって、本件手続補正は、特許請求の範囲の減縮及び請求項の削除を目的とするものであるから、平成１８年法律第５５号改正附則第３条第１項によりなお従前の例によるとされる同法による改正前の特許法（以下、「特許法」という。）第１７条の２第４項第１号及び第２号に規定の要件を満たすものである。
　
（２）独立特許要件
　そして、本件手続補正が、上記（１）のとおり、特許法第１７条の２第４項第２号をその目的として含んでいることから、本件手続補正が、特許法第１７条の２第５項において準用する同法第１２６条第５項の規定、いわゆる独立特許要件の規定に適合するか否かについて検討する。
　
　（２−１）本件手続補正後の特許請求の範囲の請求項１に係る発明（以下、「補正発明」という。）
　補正発明は、本件手続補正後の明細書の特許請求の範囲の請求項１に記載された事項により特定される、次のとおりのものと認める。
「【請求項１】
　水溶性のアニオン性モノマーからか、水溶性のアニオン性モノマーと水溶性の非イオン性モノマーとのブレンドから形成される親水性、水溶性または膨潤性ホモポリマーまたはコポリマーを含む液体分散ポリマー組成物であり、
　ここで、前記水溶性のアニオン性モノマーはアクリル酸、メタクリル酸およびそれらのアルカリ金属塩およびアンモニウム塩からなる群より選択され、前記非イオン性モノマーは、アクリルアミド、メタクリルアミド、Ｎ−アルキルアクリルアミドおよびＮ，Ｎ−ジアルキルアクリルアミドからなる群より選択され、そして
　ここで、前記ホモポリマーまたはコポリマーがシリコーンポリマー液および水中油滴型界面活性剤中に分散され、前記ホモポリマーまたはコポリマーが０．１〜２ミクロンの範囲の平均粒子サイズを有する微粒子の形態である、液体分散ポリマー組成物。」
　
　（２−２）本件手続補正後の明細書の発明の詳細な説明の記載
　本件手続補正後の明細書の発明の詳細な説明（以下、単に「発明の詳細な説明」という。）には、次の記載がされている。
　（ア）「【０００１】発明の分野
本発明は、分散ポリマー相、連続担体相および界面活性剤を含む液体分散ポリマー組成物、それらの調製、並びにこれらの液体分散ポリマー組成物の、水性または水性／有機組成物を増粘する微粒子増粘系を調製するための使用に関する。より詳しくは、シリコーンポリマー液担体相および水中油滴型界面活性剤に分散された、親水性、水溶性または膨潤性ポリマー、好ましくはアクリルベースのポリマーの微粒子を含む液体分散ポリマー組成物、それらの調製、並びにこれら液体分散ポリマー組成物の、水性または／有機組成物を増粘するための微粒子増粘系を調製するための使用、特にパーソナルケアおよび医薬配合物においての使用に関する。」
　（イ）「【０００３】
チバスペシャルティケミカルズ社より入手できる、液体分散ポリマーのSalcare（登録商標）の範囲は、疎水性担体媒体中での微粒子のアクリルベースのポリマー型増粘剤の範囲である。Salcare（登録商標）ＳＣ９１は、活性化界面活性剤としてのＰＰＧ−１トリデセス−６と共に、アクリル酸ナトリウムポリマーおよび鉱油担体をベースとするアニオン性増粘剤である。Salcare（登録商標）ＳＣ９２は、ポリクオタニウム３２および鉱油を含む、カチオン性コポリマー増粘剤およびコンディショナーである。Salcare（登録商標）ＳＣ９５およびSalcare（登録商標）ＳＣ９６は、カチオン性ホモポリマー増粘剤およびコンディショナーである。Salcare（登録商標）ＳＣ９５は、ＰＰＧ−１トリデセス−６と共に、鉱油中にポリクオタニウム３７を含む。Salcare（登録商標）ＳＣ９６は、ＰＰＧ−１トリデセス−６と共に、プロピレングリコールジカプリレートジカプレート中にポリクオタニウム３７を含む。」
　（ウ）「【０００７】
前記したように、上記のSalcare（登録商標）液体分散ポリマーの連続的有機担体相は、少なくとも一部はシリコーンポリマー液によってもたらされる。」
　（エ）「【０００８】
発明の要約
１つの態様において、本発明は、分散ポリマー相としての親水性、水溶性または膨潤性ポリマー、連続有機担体相としてのシリコーンポリマー液、および水中油滴型界面活性剤を含む、液体分散ポリマー組成物を提供し、ここでポリマーは、０．１〜２ミクロンの範囲の平均粒子サイズを有する微粒子の形態である。」
　（オ）「【０００９】
典型的には、液体分散ポリマー組成物は、各々組成物の全重量に基づいて、
（ａ）３５重量％〜６５重量％のポリマー、
（ｂ）２０重量％〜５０重量％のシリコーンポリマー液、および
（ｃ）５重量％〜２５重量％の界面活性剤または界面活性剤混合物、
を含む。」
　（カ）「【００２５】
発明の詳細な説明
本発明に使用した親水性、水膨潤性のアクリルベースの液体分散ポリマー組成物は、アニオン性でもカチオン性でもよい。前記ポリマーは、ホモポリマーでもコポリマーでもよい。それらは、水溶性のアニオン性またはカチオン性モノマーである１種またはそれ以上のモノエチレン性不飽和モノマーからか、あるいは、アニオン性とカチオン性モノマーから構成されうるか、または、アニオン性および／もしくはカチオン性モノマーの混合物と少量の非イオン性モノマーから構成されうる、主としてアニオン性またはカチオン性のモノマーブレンドから形成される。」
　（キ）「【００３７】
本発明に使用するに特に好ましいポリマーは、Salcare（登録商標）ＳＣ９１およびSalcare（登録商標）ＡＳＴに分散されたアニオン性ポリマー、並びに、Salcare（登録商標）ＳＣ９２、Salcare（登録商標）ＳＣ９５およびSalcare（登録商標）ＳＣ９６液体分散ポリマーに分散されたカチオン性ポリマーである。」
　（ク）「【００３９】
即時型液体分散ポリマー組成物の調製用の連続相は、少なくとも一部は、シリコーンポリマー液によりもたらされる。液体分散ポリマー組成物は、主に、化粧用または医薬的な目的のために意図されているため、化粧用および／または医薬的に許容され、逆相重合における連続相として有用なほど十分に疎水性である、シリコーンポリマー液が、好ましくは、連続相として使用される。多くのこのような物質が知られており、市販で入手できる。そのようなシリコーンポリマー液として、シクロメチコーン、ジメチコーン、フェニルジメチコーン、フェニルトリメチコーン等が挙げられ、それらの混合物を包含する。フェニルトリメチコーンが好ましい。」
　（ケ）「【００４１】
ポリマーは、慣用的な逆相エマルジョン手順により、すなわち、所望により金属イオン封鎖剤および架橋性エチレン性不飽和モノマーを含む、１重量部（乾燥重量）の少なくとも１種の水性エチレン性不飽和モノマーを、少なくとも一部は液体疎水性シリコーンポリマー液を含み、約０．１〜０．２部の少なくとも１種の９．０未満のＨＬＢ値を有する慣用の油中水滴型乳化剤および場合により０．５〜０．１０．０部のポリマー型安定化界面活性剤を含む、約１〜３重量部の疎水性液体に、激しく撹拌しながら添加して、実質的に安定で必要な微細粒子サイズのエマルジョンを形成することにより調製する。適切な油中水滴型乳化剤は当業者に周知である。ソルビタンエステルが好ましい。ジエチレントリアミンペンタ酢酸、ナトリウム塩が適切な金属イオン封鎖剤である。エチレン性不飽和モノマーは、ジエチレン性または多エチレン性不飽和でありうる。」
　（コ）「【実施例１】
【００６１】
実施例１
常用ヘアーコンディショニング保湿ローション／クリーム
【００６２】
【表１】
　
」
　
　（２−３）発明の詳細な説明についての検討
　補正発明は、上記（２−１）に摘記したとおり、「液体分散ポリマー組成物」という物に係る発明であり、補正発明に係る液体分散ポリマー組成物は、（１）親水性、水溶性または膨潤性ホモポリマーまたはコポリマー（以下、「分散ポリマー」という。）、シリコーンポリマー液及び水中油滴型界面活性剤を含み（以下、「組成事項」という。）、（２）分散ポリマーは特定の水溶性のアニオン性モノマーからか、特定の水溶性のアニオン性モノマーと特定の水溶性の非イオン性モノマーのブレンドから形成され（以下、「モノマー事項」という。）、及び（３）分散ポリマーが０．１〜２ミクロンの範囲の平均粒子サイズを有する微粒子の形態である（以下、「微粒子事項」という。）、なる事項をその発明を特定するために必要な事項（以下、「発明特定事項」という。）として備えるものである。
　そして、摘示（ア）及び（エ）からみて、補正発明は、「シリコーンポリマー液担体相及び水中油滴型界面活性剤に分散された、親水性、水溶性または膨潤性ポリマーの微粒子を含む液体分散ポリマー組成物を提供」することを課題とするものである。
　そこで、発明の詳細な説明の記載に基づきかかる課題が上記発明特定事項により解決できるものであるかどうか、すなわち、発明の詳細な説明に補正発明が記載されているかどうかについて検討する。
　
　補正発明に係る組成事項についてみるに、補正発明に係る「液体分散ポリマー組成物」は分散ポリマー、シリコーンポリマー液及び水中油滴型界面活性剤の３の成分を含むものである。
　まず、分散ポリマーについて検討する。分散ポリマーについて、摘示（ア）には「好ましくはアクリルベースのポリマーの微粒子」と記載され、摘示（カ）には、アクリルベースのポリマーは「アニオン性モノマーから構成されうるか、または、アニオン性モノマーと少量の非イオン性モノマーから構成されうる」と、摘示（キ）には特に好ましいポリマーとして、「Salcare（登録商標）ＳＣ９１およびSalcare（登録商標）ＡＳＴに分散されたアニオン性ポリマー、並びに、Salcare（登録商標）ＳＣ９２、Salcare（登録商標）ＳＣ９５およびSalcare（登録商標）ＳＣ９６液体分散ポリマーに分散されたカチオン性ポリマー」と記載されている。してみれば、分散ポリマーには、モノマーから重合する場合（摘示（カ）の場合）とポリマーを利用する場合（摘示（キ）の場合）とが記載されている。そして、分散ポリマーは、いずれの場合であっても、微粒子事項に規定する特定の粒子サイズを有するものである。
　分散ポリマーをモノマーから重合する場合については、摘示（カ）に関連して、発明の詳細な説明には一般的な原料モノマーの名称と重合方法が記載されているだけであって、具体的な態様が示されているわけではなく、摘示（ケ）には「実質的に安定で必要な微細粒子サイズのエマルジョンを形成することにより調整する」と記載しているが、具体的に重合したポリマーを調整し、微粒子サイズを確認しているわけではないから、発明の詳細な説明には微粒子事項を満たす重合条件あるいは調整条件が記載されているものではない。また、摘示（キ）で挙げられた本発明に使用するのに特に好ましいとされたポリマーについても、摘示（イ）からみて、モノマー事項を満足するものは「活性化界面活性剤としてのＰＰＧ−１トリデセス−６と共に、アクリル酸ナトリウムポリマーおよび鉱油担体をベースとするアニオン性増粘剤であるSalcare（登録商標）ＳＣ９１」のみと解されるが、かかる「Salcare（登録商標）ＳＣ９１」についての具体的な物性等についての記載はなく、微粒子事項を満たすものであるかどうか不明である。そうであれば、分散ポリマーについて、モノマー事項及び微粒子事項を満たすポリマーを具体的に把握できる程度に発明の詳細な説明は記載していない。
　シリコーンポリマー液については、摘示（ク）に一般的なシリコーンポリマー液が記載されているだけであって、具体的な使用態様が理解できる程度の記載ではない。水中油滴型界面活性剤についても、摘示（ケ）に「ソルビタンエステル」が好ましい旨記載があるが、シリコーンポリマー液同様、具体的な使用態様が理解できる程度の記載ではない。
　さらに、組成事項を備えた液体分散ポリマー組成物の製造方法については、摘示（ケ）に一般的な方法が記載され、摘示（オ）にその組成割合が記載されているが、液体分散ポリマー組成物を製造するための具体的な条件が記載されているとはいえず、液体分散ポリマー組成物を具体的に確認することもできない。
　
　補正発明に係る液体分散ポリマー組成物が属する化学分野の発明にあっては、化学構造や一般的な製造方法が記載されていたとしても、実際にどのようなものが製造できているかは予測がつかない分野であるから、補正発明に係る液体分散ポリマー組成物が発明の詳細な説明に記載した発明であるというためには、実際にその物が製造され、その物が確認できる程度に記載していなければならない。そして、出願時の技術常識からみて、液体分散ポリマー組成物については、仮に原料となるポリマー、担体相および界面活性剤が同一であったとしても、その調整方法により異なる状態の組成物が製造されると解するのが相当である。そこで発明の詳細な説明における実施例の記載について検討する。
　実施例には、実施例１として常用ヘアーコンディショニング保湿ローション／クリームが（摘示（コ））、実施例２として一般的なハンドローション及びボディローションが、そして実施例３としてアフターサンローション／クリームが記載されている。そして、実施例１〜３の成分組成からみて、補正発明に係る液体分散ポリマー組成物に相当する成分は「Salcare（登録商標）シリコーン」であると一応推測される。摘示（コ）の記載からは、「Salcare（登録商標）シリコーン」なる商品が存在すると解するのが自然であるものの、発明の詳細な説明には、かかる商品がいかなるものであるのか、摘示（イ）に列挙された商品との関係はどのようなものであるのか全く説明がない。なお、摘示（ウ）には、「Salcare（登録商標）液体分散ポリマーの連続的有機担体相は、少なくとも一部はシリコーンポリマー液によってもたらされる。」と記載しているが、かかる記載から、実施例で用いた「Salcare（登録商標）シリコーン」が一義的に理解できるものでもない。さらに、請求人は、平成２０年７月８日提出の意見書において、「従前の意見書において、出願人は、Salcare（登録商標）製品ＳＣ９１，９２，９５，９６及びＡＳＴは、本願発明の組成物の既知の成分であることを明確にした。しかしながら、これらの成分とシリコーン液体との組合せは、新規である。本願明細書の段落０００７『前記したように、上記のSalcare（登録商標）液分散ポリマーの連続的有機担体相は、少なくとも一部はシリコーンポリマー液によってもたらされる』とは、Salcare（登録商標）液分散ポリマーのための連続的有機担体相は、少なくとも一部がシリコーンポリマー液であるという本願発明の態様を説明するものである。」と主張するが、かかる主張からもSalcare（登録商標）とシリコーンポリマー液との具体的な状態が理解できるものではなく、具体的にどのようなものが本願発明の態様として認識できるのかが一義的に理解できるものでもない。そうであれば、かかる「Salcare（登録商標）シリコーン」がいかなる物性を有するものであるかについて発明の詳細な説明には記載がなく、請求人の主張を考慮しても、「Salcare（登録商標）シリコーン」が組成事項、モノマー事項及び微粒子事項を満足するものであることが確認できないことから、補正発明に係る液体分散ポリマー組成物に相当するとはいえない。してみると、発明の詳細な説明には、実施例に相当する記載はないと解さざるを得ず、発明の詳細な説明における「実施例」なる記載は、補正発明の具体的な実施の態様を示す実施例とは認められない。
　
　そうであれば、発明の詳細な説明の記載からは補正発明の備えるべき発明特定事項を具体的に確認することはできないものであり、補正発明の備えるべき発明特定事項が確認できない以上、補正発明は当業者が当該発明の課題を解決できるものであるという範囲のものであるとはいえない。
　
　（３−４）小括
　したがって、補正発明に係る出願は、発明の詳細な説明の記載に記載したものであるとはいえないから、特許請求の範囲の記載は、特許法第３６条第６項１号に規定する要件を満足しておらず、出願の際独立して特許を受けることができない。
　
　（３−５）請求人の主張
　請求人は、審判請求書２頁の「（３）指摘事項イについて」において、「本願発明の液体分散ポリマー組成物は、ホモポリマーまたはコポリマーがシリコーンポリマー液および水中油滴型界面活性剤中に分散された状態にある。分散系は、数μｍ以下、数ｎｍ以上の微細な粒子が気体、液体または固体中に浮遊懸濁(分散)しているものである。
　本願明細書には、Salcare（登録商標）は「疎水性担体媒体中での微粒子のアクリルベース」（段落【０００３】）であり、「Salcare（登録商標）液分散ポリマーの連続的有機担体相は、少なくとも一部はシリコーンポリマー液によってもたらされる」（段落【０００７】）と記載され、シリコーンと組み合わせることが記載されている。そして、実施例でも、Salcare（登録商標）シリコーンとあり（例えば、段落【００６１】の実施例１の表１等）、シリコーンとの組合せである」と記載している。
　しかしながら、明細書中には、「Salcare（登録商標）シリコーン」については、どの様な物性を有する組成物であるのか、何ら記載されていないのは上記（２−３）に記載したとおりであり、しかも、摘示（イ）のとおり「Salcare（登録商標）」についても、商品名により含有する成分が各々異なり、「Salcare（登録商標）」が特定の物として把握できるものではない以上、明細書段落【０００３】、【０００７】、【００６１】の記載を参照しても、「Salcare（登録商標）シリコーン」についての物性が特定できるということはできない。
　そして、発明の詳細な説明中には、補正発明の「液体分散ポリマー組成物」によって、どの様な効果が得られたのかについては具体的な記載がされていない（前記のとおり、「Salcare（登録商標）シリコーン」については、どの様な物性を有する組成物であるのか、何ら具体的な記載はされていないから、「Salcare（登録商標）シリコーン」が、補正発明の「液体分散ポリマー組成物」の物性を有したものとは言えない。）のであるから、補正発明は、発明の詳細な説明の記載により当業者が当該発明の課題を解決できると認識できる範囲のものあるいは当業者が出願時の技術常識に照らし、当該発明の課題を解決できると認識できる範囲のものであるということにはならない。
　
３．むすび
　以上のとおりであるから、本件手続補正は、特許法第１７条の２第５項において準用する同法１２６条第５項の規定に違反するから、同法第１５９条第１項において読み替えて準用する同法第５３条第１項の規定により却下すべきものである。
　
第３．本願発明について 
　上記記載のとおり、平成２１年１０月２日付けの手続補正は却下されたので、本願の請求項１〜８に係る発明は、平成２０年１月１６日付け手続補正書により補正された、明細書の特許請求の範囲の請求項１〜８に記載されたとおりのものであって、請求項１には、以下のとおり記載されている。
　
　「【請求項１】
シリコーンポリマー液および水中油滴型界面活性剤に分散された、水溶性のアニオン性モノマーまたは水溶性のカチオン性モノマーからか、水溶性のアニオン性モノマーと水溶性のカチオン性モノマーとのブレンドからか、あるいは水溶性のアニオン性モノマーまたは水溶性のカチオン性モノマーと非イオン性モノマーとのブレンドから形成される親水性、水溶性または膨潤性ホモポリマーまたはコポリマーを含む液体分散ポリマー組成物であり、
　ここで、前記水溶性のアニオン性モノマーはアクリル酸、メタクリル酸およびそれらのアルカリ金属塩およびアンモニウム塩、２−アクリルアミド−２−メチル−プロパンスルホン酸およびその塩、スチレンスルホン酸ナトリウムから選択され、前記水溶性のカチオン性モノマーは、ジアリルジアルキルモノマー、ジアルキルアミノアルキル（メタ）アクリレートまたはジアルキルアミノアルキル（メタ）アクリルアミドから選択され、前記非イオン性モノマーは、アクリルアミド、メタクリルアミド、Ｎ，−ジアルキルアクリルアミド、Ｎ，Ｎ−ジアルキルアクリルアミド、Ｎ−ビニルピロリドンおよび水溶性ヒドロキシ置換アクリル酸またはメタクリル酸エステルから選択され、そして
　ここで、前記ホモポリマーまたはコポリマーがシリコーンポリマー液および水中油滴型界面活性剤中に分散され、前記ホモポリマーまたはコポリマーが０．１〜２ミクロンの範囲の平均粒子サイズを有する微粒子の形態である、液体分散ポリマー組成物。」（以下、「本願発明」という。）
　
第４．原査定の拒絶の理由について 
 　原審で示された拒絶査定には、
「この出願については、平成２０年３月３１日付け拒絶理由通知書に記載した理由４によって、拒絶をすべきものです。
　なお、意見書の内容を検討しましたが、拒絶理由を覆すに足りる根拠が見いだせません。」として、備考欄に
「出願人は、平成２０年７月８日付け意見書において、「本願明細書の段落０００３に挙げられたＳａｌｃａｒｅ（登録商標）はいずれも本願発明にの組成物の調製において選択することができるものであり、例示されている。そして、段落０００７の記載は、いずれかのＳａｌｃａｒｅ（登録商標）製品とから、実施例記載のシリコーン流体に、明らかかつ実施可能につなげる記載である。」なる主張をしているが、段落０００３および０００７に記載の製品は、シリコーン流体を含まない形態のもの（原料として使用しうるもの）にすぎず、実施例で使用している『Ｓａｌｃａｒｅ（登録商標）シリコーン』の成分およびその割合を明らかにするものではない。
　そして、段落０００３および０００７に記載の製品を原料として使用したとしても、実施例に記載の『Ｓａｌｃａｒｅ（登録商標）シリコーン』が具体的にどの製品を原料として使用したのか、どの程度のシリコーン流体を含有するのかその割合が明示されていないことから、実施例で使用している『Ｓａｌｃａｒｅ（登録商標）シリコーン』なるものが本願発明に係る分散物なのか否か技術的に十分に裏付けられていないと共に、当業者が実施できる程度に記載されていない。
　当然ながら、実施例には、本願発明に係る分散物の製造方法を実施しておらず、当該分散物の製造方法が技術的に十分に裏付けられていない。
　よって、上記出願人の主張は当を得ないものであり採用する余地がないく、本願発明は、依然として、特許法第３６条第４項第１号および同法第３６条第６項第１号の規定を満たしてない。」と記載している。
　そして、上記拒絶理由通知書に記載した理由４として、
「この出願は、特許請求の範囲及び発明の詳細な説明の記載が下記の点で、特許法第３６条第４項及び第６項第１号に規定する要件を満たしていない。
　　　　　　　　　　　　　　　　　記
・請求項　　　１−８
・備考
　実施例では、当該液体分散ポリマー組成物として、『Ｓａｌｃａｒｅ（登録商標）シリコーン』なるものしか使用しておらず、本願明細書の記載内容を検討しても、『Ｓａｌｃａｒｅ（登録商標）シリコーン』が如何なる成分、物性を有するのか不明であるから、当該『Ｓａｌｃａｒｅ（登録商標）シリコーン』が請求項１−４に記載の組成物なのか否か、技術的に十分に裏付けられていない。
　そして、仮に、『Ｓａｌｃａｒｅ（登録商標）シリコーン』が請求項１−４に記載の液体分散ポリマー組成物でなければ、本願明細書に記載の実施例は、全て本願発明の対象外であるから、請求項１−８の各記載内容と本願明細書の記載内容との技術的対応関係が取れておらず、請求項１−８に記載の各発明は、本願明細書の記載内容により技術的に十分に裏付けられていないと共に、当業者が実施できる程度に十分に記載されていない。」と記載している。
　
第５．原査定の拒絶の理由の妥当性についての検討
　原査定の拒絶の理由である特許法第３６条第６項第１号が妥当するかどうかについて検討する。
　本願発明は、平成２１年１０月２日付け手続補正書に記載された補正発明と比較して、液体分散ポリマー組成物において、親水性、水溶性または膨潤性ホモポリマーまたはコポリマーについて限定がされていない点でのみ相違するものであるところ、補正発明については、上記第２．２．（２）で記載したとおり、特許を受けようとする発明が、発明の詳細な説明に記載したものであるということはできないものである。
　そうであれば、補正発明と比較して、液体分散ポリマー組成物において、親水性、水溶性または膨潤性ホモポリマーまたはコポリマーについて限定がされていない点でのみ相違する本願発明についても、補正発明について記載した理由と同様に、特許を受けようとする発明が発明の詳細な説明に記載した発明であるということはできない。
　
第６．まとめ
　以上のとおり、本願は、特許請求の範囲の記載が特許法第３６条第６項１号に規定する要件を満たしていない出願に係るものであり、本願の請求項１に係る発明についての原査定の拒絶の理由は妥当なものであり、他の請求項に係る発明及び他の理由について検討するまでもなく、本願はこの理由により拒絶すべきものである。
　よって、結論のとおり審決する。
　
　
　なお、原査定の拒絶の理由には挙げられていないが、当審では、本願発明は、原審での拒絶の理由において引用されている国際公開第２０００／６１０７７号に記載された発明であるから、特許法第２９条第１項第３号に該当し、この点においても、特許を受けることができないものであると判断する。
　理由は、以下のとおりである。
　
　［理由］
　なお、上記国際公開第２０００／６１０７７号（以下、「刊行物」という。）に代え、日本語公報である特表２００２−５４１１６９号公報をもって記載する。
　
　（１）本願発明
　本願の請求項１に係る発明は、上記のとおり平成２１年１０月２日付けの手続補正が却下されたので、平成２０年１月１６日付け手続補正書により補正された明細書の特許請求の範囲の請求項１に記載されたとおりのものであり、請求項１には、以下のとおり記載されている。
　「【請求項１】
シリコーンポリマー液および水中油滴型界面活性剤に分散された、水溶性のアニオン性モノマーまたは水溶性のカチオン性モノマーからか、水溶性のアニオン性モノマーと水溶性のカチオン性モノマーとのブレンドからか、あるいは水溶性のアニオン性モノマーまたは水溶性のカチオン性モノマーと非イオン性モノマーとのブレンドから形成される親水性、水溶性または膨潤性ホモポリマーまたはコポリマーを含む液体分散ポリマー組成物であり、
　ここで、前記水溶性のアニオン性モノマーはアクリル酸、メタクリル酸およびそれらのアルカリ金属塩およびアンモニウム塩、２−アクリルアミド−２−メチル−プロパンスルホン酸およびその塩、スチレンスルホン酸ナトリウムから選択され、前記水溶性のカチオン性モノマーは、ジアリルジアルキルモノマー、ジアルキルアミノアルキル（メタ）アクリレートまたはジアルキルアミノアルキル（メタ）アクリルアミドから選択され、前記非イオン性モノマーは、アクリルアミド、メタクリルアミド、Ｎ，−ジアルキルアクリルアミド、Ｎ，Ｎ−ジアルキルアクリルアミド、Ｎ−ビニルピロリドンおよび水溶性ヒドロキシ置換アクリル酸またはメタクリル酸エステルから選択され、そして
　ここで、前記ホモポリマーまたはコポリマーがシリコーンポリマー液および水中油滴型界面活性剤中に分散され、前記ホモポリマーまたはコポリマーが０．１〜２ミクロンの範囲の平均粒子サイズを有する微粒子の形態である、液体分散ポリマー組成物」（以下、本願発明、という。）
　　
（２）刊行物に記載の事項
　刊行物には、以下の記載がされている。
　（あ）「【請求項１】  ジグリセリド油またはトリグリセリド油、および水中油滴型界面活性剤に分散された、親水性、水溶性または膨潤性ポリマーを含む、液体分散ポリマー組成物であって、該ポリマーが、０．１〜２μｍの範囲の平均粒子サイズを有する微粒子形である、前記組成物。」（特許請求の範囲１）
　（い）「【０００１】
（発明の分野）
  本発明は、分散ポリマー相、連続担体相および界面活性剤を含む液体分散ポリマー組成物、その調製、および、水性または水性／有機組成物を濃厚化する微粒子濃厚化系を調製するためのこれらの液体分散ポリマー組成物の使用に関する。より特定すると、それは、ジグリセリド油またはトリグリセリド油担体相および水中油滴型界面活性剤に分散された、親水性、水溶性または膨潤性ポリマー、好ましくはアクリルをベースとしたポリマーの微粒子を含む液体分散ポリマー組成物、その調製、および、特にパーソナルケアおよび医薬製剤における使用のための、水性または／有機組成物を濃厚化するための微粒子濃厚化系を調製するためのこれらの液体分散ポリマー組成物の使用に関する。」（国際公開第２０００／６１０７７号公報１頁２〜１２行の記載に該当）
　（う）「【０００５】
  水系に任意の上記の液体分散ポリマーを入れて撹拌すると、活性化界面活性剤は、疎水性担体を、水中油滴型エマルションに変換する。用語「活性化界面活性剤」は、疎水性担体の水中油滴型エマルションへの変換を活性化する界面活性剤を意味する。一方、親水性ポリマーは、水への曝露時に膨張するが、溶解せず、円滑で迅速な粘度の増加をもたらす。典型的には、ポリマー粒子は膨潤して、直径が２．５〜５μの範囲の典型的な粒子サイズを有するポリマー粒子を含む微粒子濃厚化系を与える。水分子は、浸透作用により小ポリマー粒子中に移動するので、ポリマー粒子の経験する浸透効果は、系中に存在する水と電解質の平衡である。従って、高い電解質レベルは、ポリマー粒子の膨潤を減少させる。」（国際公開第２０００／６１０７７号公報２頁６〜１６行の記載に該当）
　（え）「【００１３】
  界面活性剤または界面活性剤混合物ｃ）は、有利には、界面活性剤の混合物である。好ましくは、混合物は、膨潤性ポリマーａ）の微粒子の製造に有用な界面活性剤、およびその後の水中油滴型微粒子濃厚化エマルションの活性化剤として役立つ少なくとも１つの界面活性剤の両方を含む。水中油滴型濃厚化エマルション用の活性化界面活性剤は、組成物の０．５重量％〜８重量％、好ましくは組成物の１重量％〜３重量％を含む。液体分散ポリマー組成物は、連続相としてジまたはトリグリセリド油を含む場合、より極性の低い鉱油を用いる場合に比べて、かなり少ない活性化界面活性剤が必要とされることが判明した。好ましくは、活性化界面活性剤は、一般に１０を越えるのＨＬＢを有する非イオン性の水中油滴型乳化剤である。この種類の適切な乳化剤は、当業者に周知である。エトキシル化アルコールが好ましく、ＰＰＧ１−トリデセス６が特に好ましい。」（国際公開第２０００／６１０７７号公報４頁７〜１８行の記載に該当）
　（お）「【００２５】
本発明の詳細な説明
  本発明に使用した親水性、水膨潤性のアクリルをベースとした液体分散ポリマー組成物は、アニオン性でもカチオン性でもよい。前記ポリマーは、ホモポリマーでもコポリマーでもよい。それらは、水溶性のアニオン性またはカチオン性モノマーである１つまたはそれ以上のモノエチレン的不飽和モノマーから、或いは、アニオン性およびカチオン性モノマーから構成され得るか、若しくは、アニオン性および／またはカチオン性モノマーの混合物および少量の非イオン性モノマーから構成され得る、圧倒的にはアニオン性またはカチオン性のモノマーブレンドから形成される。」（国際公開第２０００／６１０７７号公報７頁８〜１５行の記載に該当）
　（か）「【００２７】
  適切なアニオン性モノマーは、アクリル酸、メタクリル酸およびそのアルカリ金属塩およびアンモニウム塩、２−アクリルアミド−２−メチル−プロパンスルホン酸およびその塩、スチレンスルホン酸ナトリウム等を含む。アクリル酸は、最も好ましいアニオン性モノマーである。好ましくは、カルボン酸基は、少なくとも５０％、有利には６５〜８５％、アルカリ金属塩またはアンモニウム塩、特にナトリウム塩の形である。」（国際公開第２０００／６１０７７号公報８頁１〜５行の記載に該当）
　（き）「実施例３【００６６】【表３】
  
　
【００６７】
方法：
１）（１）を清潔な乾燥ビーカーに量り、（２）以外の全成分を加え、次いで追添加の間に撹拌する。
２）撹拌速度を増加させ、（２）を加え、粘性で均一となるまで撹拌し続ける。
典型的な特性
外見：滑らかで粘性で流動性のローション
粘度：１０，０００〜１５，０００ｃＰｓ
ｐＨ：６．０〜７．０」（国際公開第２０００／６１０７７号公報１７頁〜１８頁の記載に該当）
　
（３）刊行物に記載された発明
　摘示（き）からみて、「高ＳＰＨ日除け」組成物は、「水」、「アクリル酸ナトリウムコポリマー（および）グリシンＳｏｊａ（および）ＰＰＧ−１トリデス−６（商品名SalcareＡＳＴ）」、「ジメチコン」及び「ジメチコン（および）ジメチコール」を含有する、親水性、水溶性または膨潤性ホモポリマーまたはコポリマーを含む液体分散ポリマー組成物に相当する。
　そして、アクリル酸ナトリウムコポリマーは、摘示（お）及び（か）の記載から、アクリル酸、メタクリル酸およびそのアルカリ金属塩を含む水溶性アニオン性モノマーから構成されるアクリルをベースとしたポリマーであり、ＰＰＧ１−トリデセス６は、摘示（え）からみて、非イオン性の水中油滴型乳化剤である。また、ジメチコンおよびジメチコールがシリコーンポリマー液であることは明らかである。
　さらに、刊行物に記載の「高ＳＰＨ日除け」組成物は、摘示（あ）記載のとおり、ポリマーが０．１〜２μｍの範囲の平均粒子サイズを有する微粒子形であるといえる。
　
　そうすると、刊行物には、
　「シリコーンポリマー液を含有し、水中油滴型界面活性剤に分散された、水溶性のアニオン性モノマーから構成される親水性、水溶性または膨潤性ホモポリマーまたはコポリマーを含む液体分散ポリマー組成物であり、前記水溶性のアニオン性モノマーはアクリル酸、メタクリル酸およびそれらのアルカリ金属塩およびアンモニウム塩から選択され、水中油滴型界面活性剤中に分散され、前記ホモポリマーまたはコポリマーが０．１〜２ミクロンの範囲の平均粒子サイズを有する微粒子の形態であるポリマー組成物」なる発明（以下、「刊行物発明」という。）が記載されている。
　
（４）対比・判断
　本願発明と刊行物発明とを対比すると、刊行物発明におけるシリコーンポリマー液は摘示（き）のとおり均一となるまで撹拌を続けることにより得られる組成物中の成分であるから、水中油滴型界面活性剤と均一となっているものと解することが自然であるから、刊行物発明における「シリコーンポリマー液を含有し、水中油滴型界面活性剤」は、本願発明の「シリコーンポリマー液および水中油滴型界面活性剤」に相当する。刊行物発明の「水溶性のアニオン性モノマーから形成される親水性、水溶性または膨潤性ホモポリマーまたはコポリマー」は、本願発明において「親水性、水溶性または膨潤性ホモポリマーまたはコポリマー」が水溶性のアニオン性モノマーにより形成された場合に相当する。そして、刊行物発明における水溶性のアニオン性モノマーについても、本願発明と相違することはなく、また、ホモポリマーまたはコポリマーの平均粒子サイズにおいても刊行物発明と本願発明とは相違しない。したがって、両者の間には相違する点がない。
　なお、刊行物発明においては、アクリル酸ナトリウムコポリマーとしてSalcareＡＳＴを用い、シリコーンポリマー液としてダウコーニング２００（ジメチコン）及び１４０３（ジメチコン（および）ジメチコール）を別途添加して均一となるまで撹拌することで製造しているが、本願発明では、実施例においてSalcare（登録商標）シリコーンを用いる旨の記載があり、実施例の記載においては一応相違するものの、発明の詳細な説明段落【００３７】にSalcareＡＳＴは特に好ましいポリマーとしてあげられており、さらに、同【００４１】には、「少なくとも一部は液体疎水性シリコーンポリマー液を含み、〜激しく撹拌しながら添加して、実質的に安定で必要な微細粒子サイズのエマルジョンを形成することにより調整する。」とあり、両者の製造・調整法に実質的な相違はなく、製造される組成物においても相違しない。
　
（５）まとめ
　したがって、本願発明は、刊行物１に記載された発明であるから、特許法第２９条第１項第３号に該当し、特許を受けることができない。